(57)【特許請求の範囲】
【請求項１】
シリンダ部と、
前記シリンダ部の内周面に沿ってシリンダ軸方向に摺動可能なピストン部と、
前記ピストン部を操作するピストン操作部と、
前記シリンダ部内の液室に連通された筒状の吸込み部と、
前記吸込み部の内側に配設され、前記ピストン部の引戻し動作に連動して開けられる開閉可能な吸込み弁と、
前記シリンダ部の側方に向かって突出していると共に、前記シリンダ部に直結されて前記液室に連通されたノズル部と、
前記ノズル部の内側に配設され、前記ピストン部の押込み動作に連動して開けられる開閉可能な吐出弁と、を備え、
前記ノズル部は、
前記シリンダ部に接続されたノズル本体と、
前記ノズル本体のノズル軸方向に移動させることで前記ノズル本体に対して脱着可能とされた補助ノズルと、を備え、
前記補助ノズルは、
前記ノズル本体に外装された本体筒部と、
前記本体筒部の外周面から前記シリンダ部側に向けて上方に突出された弾性変形可能な操作片と、
前記操作片の下面に設けられ、前記シリンダ部側に向かうに連れて上方に向かう傾斜面を有する脱着突部と、
前記本体筒部の内周面のうち、前記ノズル軸を通り上下方向に延びる基準線と前記ノズル軸の下方で交差する箇所を回避した部分に突設された係止突起と、を備え、
前記ノズル本体は、
前記補助ノズルの前記本体筒部が外装された被外装筒部と、
前記被外装筒部の外周面に突設されていると共に、前記補助ノズルの前記係止突起が係止された環状突起と、
前記被外装筒部よりも前記シリンダ部側に設けられ、前記操作片が押下されることにより前記脱着突部の前記傾斜面と摺接される係合突部と、を備え、
前記係合突部は、根元から上方に向かうに連れて前記シリンダ部側に向けて延びると共に、前記脱着突部の前記傾斜面が摺動する摺動面を有することを特徴とする定量吐出器。
【請求項２】
前記環状突起が前記ノズル軸方向から見て円環形状とされており、前記環状突起には、前記係合突部と対向する領域に上方を向く平坦面を有する弦部が設けられていることを特徴とする請求項１記載の定量吐出器。
【請求項３】
前記ノズル軸と直交する断面にて、前記弦部の平坦面が前記被外装筒部の外周面の接線となっていることを特徴とする請求項２記載の定量吐出器。
【発明の詳細な説明】
【技術分野】
【０００１】
本発明は、定量吐出器に関するものである。
【背景技術】
【０００２】
従来、定量吐出器として、下記特許文献１に示されるように、シリンダ部と、シリンダ部の内周面に沿ってシリンダ軸方向に摺動可能なピストン部と、ピストン部を操作するピストン操作部と、シリンダ部内の液室に連通された管状の吸込み部と、吸込み部の内側に配設され、ピストン部の引戻し動作に連動して開けられる開閉可能な吸込み弁と、シリンダ部の側方に向かって突出していると共にシリンダ部に直結されて液室に連通された筒状のノズル部と、ノズル部の内側に配設され、ピストン部の押込み動作に連動して開けられる開閉可能な吐出弁と、を備えるものが知られている。
【先行技術文献】
【特許文献】
【０００３】
【特許文献１】特開２０１５−１２７２４２号公報
【発明の概要】
【発明が解決しようとする課題】
【０００４】
ところで、定量吐出器においては、内容物が吐出される部位を取り外して容易に洗浄可能とすることで衛生的な状態を容易に維持することが要望されている。例えば、ノズル部を、シリンダ部に固定されたノズル本体と、このノズル本体に脱着可能とされると共に吐出口を有する補助ノズルと、を備える構成とすることで、上述の要望を実現することができる。
【０００５】
しかしながら、補助ノズルをノズル本体から脱離させる場合には、補助ノズルを上下方向からつまんで、補助ノズルをノズル本体のノズル軸方向に引き抜くことが考えられる。このとき、補助ノズルとノズル本体とに形成されていると共に互いに係止されることで補助ノズルのノズル本体に嵌合させる突起部が、補助ノズルをつまむ際の力によってより強く係止され、補助ノズルのノズル本体からの脱離を容易に行うことができない場合がある。
【０００６】
本発明は、上述する問題点に鑑みてなされたもので、定量吐出器において、補助ノズルをノズル本体から容易に脱離可能とすることを目的とする。
【課題を解決するための手段】
【０００７】
本発明に係る定量吐出器は、シリンダ部と、上記シリンダ部の内周面に沿ってシリンダ軸方向に摺動可能なピストン部と、上記ピストン部を操作するピストン操作部と、上記シリンダ部内の液室に連通された筒状の吸込み部と、上記吸込み部の内側に配設され、上記ピストン部の引戻し動作に連動して開けられる開閉可能な吸込み弁と、上記シリンダ部の側方に向かって突出していると共に、上記シリンダ部に直結されて上記液室に連通されたノズル部と、上記ノズル部の内側に配設され、上記ピストン部の押込み動作に連動して開けられる開閉可能な吐出弁と、を備え、上記ノズル部は、上記シリンダ部に接続されたノズル本体と、上記ノズル本体のノズル軸方向に移動させることで上記ノズル本体に対して脱着可能とされた補助ノズルと、を備え、上記補助ノズルは、上記ノズル本体に外装された本体筒部と、上記本体筒部の外周面から上記シリンダ部側に向けて上方に突出された弾性変形可能な操作片と、上記操作片の下面に設けられ、上記シリンダ部側に向かうに連れて上方に向かう傾斜面を有する脱着突部と、上記本体筒部の内周面のうち、上記ノズル軸を挟んで上記操作片と反対の領域を回避した部分に突設された係止突起と、を備え、上記ノズル本体は、上記補助ノズルの上記本体筒部が外装された被外装筒部と、上記被外装筒部よりも上記シリンダ部側に突設されていると共に、上記補助ノズルの上記係止突起が係止された環状突起と、上記被外装筒部の外周面に設けられ、上記操作片が押下されることにより上記脱着突部の上記傾斜面と摺接される係合突部と、を備えることを特徴とする。
【０００８】
本発明に係る定量吐出器によれば、補助ノズルに設けられた操作片を押下することにより、操作片の下面に設けられた脱着突部の傾斜面が、ノズル本体の被外装突部の外周面に突設された係合突部に摺接される。この傾斜面は、シリンダ部側に向かうに連れて上方に向かうように設けられている。このため、操作片の押下量が増加するに連れて、補助ノズルがノズル本体に対して前方に移動され、補助ノズルがノズル本体から容易に脱離される。
【０００９】
さらに、本発明に係る定量吐出器においては、補助ノズルが、ノズル本体に外装された本体筒部と、本体筒部の内周面のうち、本体筒部のノズル軸を挟んで操作片と反対の領域を回避した部分に突設された係止突起と、を備えている。また、ノズル本体は、補助ノズルの本体筒部が外装された被外装筒部と、被外装筒部の外周面に突設されていると共に、補助ノズルの係止突起が係止された環状突起とを備えている。このため、補助ノズルがノズル本体に装着されている状態では、係止突起と環状突起とが互いに係止され、補助ノズルがノズル本体から脱離することが防止される。このような補助ノズルをノズル本体から脱離する場合には、作業者が片方の手で、本体筒部の下部と操作片とを挟むように補助ノズルをつまむことが想定される。このとき、本発明に係る定量吐出器によれば、係止突起が、本体筒部の内周面のうち、本体筒部のノズル軸を挟んで操作片と反対の領域を回避した部分に突設されている。このため、本発明に係る定量吐出器によれば、本体筒部の下部を下方から支持するように補助ノズルをつまんでも、係止突起と環状突起とが強く係止されることが防止される。
【００１０】
また、本発明に係る定量吐出器では、上記係合突部が、根元から上方に向かうに連れて上記シリンダ部側に向けて延びると共に、上記脱着突部の上記傾斜面が摺動する摺動面を有している。これにより、操作片を押下する際に、脱着突部がより円滑にノズル本体に対して前方に押し出される。このため、補助ノズルを円滑にノズル本体から脱離することができる。
【００１１】
また、本発明に係る定量吐出器では、前記環状突部が前記ノズル軸方向から見て円環形状とされており、前記環状突起には、前記係合突部と対向する領域に上方を向く平坦面を有する弦部が設けられていることが好ましい。これにより、操作片を押下したままで補助ノズルをノズル本体から引き抜く場合に、操作片の下面に設けられた脱着突部が弦部の平坦面に下方から支えられて、操作片が捻じれることを防止することができる。このため、本発明に係る定量吐出器によれば、操作片の根元への負荷を低減することができる。
【００１２】
また、本発明に係る定量吐出器では、前記ノズル軸と直交する断面にて、前記弦部の平坦面が前記被外装筒部の外周面の接線となっていることが好ましい。これによって、被外装筒部の頂部と環状突起との接続部に段差部が形成されず、操作片を押下したままで補助ノズルをノズル本体から引き抜く場合に、操作片の下面に設けられた脱着突部が環状突起に引っ掛ることを防止することができ、補助ノズルがノズル本体からより容易に脱離される。
【発明の効果】
【００１３】
本発明に係る定量吐出器によれば、本体筒部の下部を下方から支持するように補助ノズルをつまんでも、係止突起と環状突起とが強く係止されることを防止することができる。したがって、本発明に係る定量吐出器によれば、補助ノズルをノズル本体から容易に脱離することができる。
【図面の簡単な説明】
【００１４】
【図１】本発明の一実施形態に係る定量吐出器を示す縦断面図である。
【図２】図１に示すノズル部周辺を拡大した縦断面図である。
【図３】図２のＡ−Ａ線に沿って切断した補助ノズルのみを示す模式断面図である。
【図４】図２のＢ−Ｂ線に沿って切断したノズル本体のみを示す模式断面図である。
【図５】補助ノズルの脱離操作を説明するためのノズル部周辺を拡大した縦断面図である。
【発明を実施するための形態】
【００１５】
以下、図面を参照して、本発明に係る定量吐出器の一実施形態について説明する。なお、以下の説明に用いる各図面では、各部材を認識可能な大きさとするために縮尺を適宜変更している。
【００１６】
＜定量吐出器の構成＞
図１に示すように、定量吐出器１は、容器本体１０の口部１１に装着された装着キャップ２と、装着キャップ２に連結されたシリンダ部３と、シリンダ部３内に摺動可能に配設されたピストン部４と、このピストン部４を操作するピストン操作部５と、シリンダ部３内の液室３２に連通された管状の吸込み部６と、吸込み部６の内側に配設されると共にピストン部４の動作に伴って開閉可能とされた吸込み弁７と、シリンダ部３の側方に向かって突出すると共にシリンダ部３に直結されてシリンダ部３内の液室３２に連通された筒状のノズル部８と、ノズル部８の内側に配設された吐出弁９と、を備えている。
【００１７】
以下、シリンダ部３の横断面がなす円形状の中央を通るシリンダ軸Ｏに沿って、ピストン操作部５側を上側、容器本体１０側を下側という。また、シリンダ軸Ｏ方向から見た平面視において、シリンダ軸Ｏ回りに周回する方向を周方向といい、シリンダ軸Ｏに直交する方向を径方向という。
【００１８】
（容器本体）
容器本体１０は、例えばガラス瓶、合成樹脂製ボトル等であり、内部に図示しない内容物が収容される。容器本体１０の口部１１の外周面には、雄ねじ１２が形成されている。また、この口部１１の内側には、筒状の中栓１３が装着されている。この中栓１３は、円筒形状の筒状部材であり、シリンダ軸Ｏを共通軸にして口部１１と同軸上に配設されている。
また、中栓１３の軸方向中間部の外周面には、径方向外側に向けて突出したフランジ部１４が形成されている。このフランジ部１４は、周方向の全周に亘って形成された円環状に形成されている。このフランジ部１４は、中栓１３を支持するための支持部であり、口部１１の上端開口縁上に載置されている。
【００１９】
（装着キャップ）
装着キャップ２は、円筒形状に形成され、シリンダ軸Ｏと同軸に配設されている。装着キャップ２の内周面には、口部１１の雄ねじ１２に螺合された雌ねじ２０が形成されている。
【００２０】
（シリンダ部）
シリンダ部３は、有底筒状に形成され、その内側に容器本体１０内の内容物を貯留する液室３２が形成されると共に、容器本体１０の上方に配置されている。
シリンダ部３には、装着キャップ２に接続され、口部１１に装着された装着筒部３０が設けられている。装着筒部３０は、シリンダ部３の底壁部３１から下方に向けて延在し、シリンダ軸Ｏと同軸に配置されている。装着筒部３０の下端部は、装着キャップ２の上端部内にアンダーカット嵌合されている。装着筒部３０には、中栓１３のフランジ部１４上に配置された支持フランジ部３０ａが形成されている。
【００２１】
シリンダ部３の外周面には、被係止部３４が径方向の外側に向けて突設されている。なお、被係止部３４は、シリンダ部３の外周面において、シリンダ軸Ｏを径方向に挟んで互いに反対となる位置に各別に形成されている。但し、被係止部３４の数は２つに限定されるものではない。
【００２２】
（ピストン部）
ピストン部４は、シリンダ部３内に配設されて上記液室３２を画成している。
このピストン部４は、図１に示すように、シリンダ軸Ｏに直交する底壁部４０と、底壁部４０の外縁から上方に向けて延びる周壁部４１と、周壁部４１を径方向の外側から囲繞し、且つシリンダ部３内に摺動自在に嵌合された筒状の摺接部４３と、を備えている。
【００２３】
底壁部４０は、液室３２に面する平面視円形の壁部であり、シリンダ部３の底壁部３１の上方に間隔をあけて対向配置されている。この底壁部４０の外周部の上面には後述する連結部材５３のフランジ部５３ｂが当接されており、このフランジ部５３ｂによって底壁部４０が上方から押さえられている。
【００２４】
周壁部４１は、円筒形状の筒部であり、シリンダ軸Ｏを共通軸にしてシリンダ部３と同軸上に配設されている。摺接部４３は、シリンダ軸Ｏを共通軸にしてシリンダ部３と同軸上に配設された略円筒形状の筒部であり、この摺接部４３の軸方向中間部は、上記した周壁部４１の上端部に連結されている。摺接部４３の上端部は、上側に向かうに従い漸次拡径されたテーパー形状に形成されており、また、摺接部４３の下端部は、下側に向かうに従い漸次拡径されたテーパー形状に形成されている。そして、これら摺接部４３の上下端部は、それぞれシリンダ部３の内周面に全周に亘って密に摺動自在に当接している。
【００２５】
（ピストン操作部）
ピストン操作部５は、シリンダ部３の上端部に被着された中蓋５０と、シリンダ部３に対して相対的に押し下げ可能な押下ヘッド５１と、押下ヘッド５１を上方に付勢するコイルスプリング５２と、押下ヘッド５１とピストン部４とを連結する連結部材５３と、を備えている。
【００２６】
中蓋５０は、シリンダ軸Ｏに対して垂直に配設された円環状の天壁部５０ａと、天壁部５０ａの外縁から下方に向かって延びる外筒部５０ｂと、天壁部５０ａの内縁から下方に向かって延びる内筒部５０ｃと、内筒部５０ｃの下端部から径方向の内側に向けて延びる円環状の底壁部５０ｄと、底壁部５０ｄの内縁から立設されたガイド筒部５０ｅと、を備えている。天壁部５０ａは、シリンダ部３の上方に配置され、シリンダ部３の上端開口縁上に載置されている。外筒部５０ｂは、シリンダ部３の上端部の外周に周設された円筒形状の筒部であり、シリンダ軸Ｏを共通軸にしてシリンダ部３と同軸上に配置されていると共にシリンダ部３の上端部にアンダーカット嵌合されている。内筒部５０ｃは、シリンダ部３の上端部の内側に配設された略円筒形状の筒部であり、シリンダ軸Ｏを共通軸にしてシリンダ部３及び外筒部５０ｂと同軸上に配置されている。底壁部５０ｄは、シリンダ軸Ｏに対して垂直に配設された円環状の板部である。また、底壁部５０ｄの下面には、連結部材５３の後述するフランジ部５３ｂに上方から当接するストッパ５０ｆが設けられている。ガイド筒部５０ｅは、内筒部５０ｃの内側に配設された円筒形状の直筒部であり、シリンダ軸Ｏを共通軸にして内筒部５０ｃと同軸上に配置されている。
【００２７】
押下ヘッド５１は、シリンダ軸Ｏに対して垂直に配設された円環状の天壁部５１ａと、天壁部５１ａの外縁から下方に向かって延びる周壁部５１ｂと、天壁部５１ａの内縁から下方に向かって延びる内筒部５１ｃと、天壁部５１ａの下面から下方に向かって延びる筒状のスプリング保持部５１ｄと、を備えている。天壁部５１ａは、中蓋５０の天壁部５０ａの上方に配設されている。周壁部５１ｂは、中蓋５０の外筒部５０ｂ及びシリンダ部３の外周に周設された円筒形状の直筒部であり、シリンダ軸Ｏを共通軸にして中蓋５０の外筒部５０ｂ及びシリンダ部３と同軸上に配置されている。内筒部５１ｃは、周壁部５１ｂの内側に配設された円筒形状の直筒部であり、シリンダ軸Ｏを共通軸にして周壁部５１ｂと同軸上に配置されている。また、内筒部５１ｃの外径は、中蓋５０のガイド筒部５０ｅよりも小径であり、内筒部５１ｃは、ガイド筒部５０ｅの内側に挿入されている。スプリング保持部５１ｄは、コイルスプリング５２の上端部を保持する円筒形状の筒部であり、周壁部５１ｂの上端部と内筒部５１ｃの上端部との間に配設されている。
【００２８】
コイルスプリング５２は、押し込まれたピストン部４を引き戻す付勢力を付与するための付勢部材であり、上記した中蓋５０と押下ヘッド５１との間に介装されている。詳しく説明すると、コイルスプリング５２は、押下ヘッド５１の周壁部５１ｂの内側に配設されており、コイルスプリング５２の下端は、上記した中蓋５０の底壁部５０ｄの上面に係止され、コイルスプリング５２の上端は、上記した押下ヘッド５１のスプリング保持部５１ｄの内側に嵌め込まれて押下ヘッド５１の天壁部５１ａの下面に係止されている。
【００２９】
連結部材５３は、押下ヘッド５１の内筒部５１ｃの内側に嵌合された嵌合部５３ａと、嵌合部５３ａの下端から径方向外側に突出したフランジ部５３ｂと、を備えている。嵌合部５３ａは、有頂筒状の筒部であり、シリンダ軸Ｏを共通軸にして押下ヘッド５１の内筒部５１ｃと同軸上に延設されている。この嵌合部５３ａの上端部は、押下ヘッド５１の内筒部５１ｃにアンダーカット嵌合されており、嵌合部５３ａの上端面は、押下ヘッド５１の天壁部５１ａの上面と面一に形成されている。フランジ部５３ｂは、周方向の全周に亘って形成された円環状の板部であり、ピストン部４の底壁部４０の上面に載置されていると共にピストン部４の周壁部４１の内側にアンダーカット嵌合されている。また、フランジ部５３ｂは、中蓋５０の底壁部５０ｄの下面に設けられたストッパ５０ｆと当接可能とされており、これにより、コイルスプリング５２による押下ヘッド５１（ピストン部４）の上昇が制限されて押下ヘッド５１（ピストン部４）のストロークの上端位置が位置決めされている。
【００３０】
（吸込み部）
吸込み部６は、容器本体１０の内部に収容された内容物をシリンダ部３内の液室３２に吸い込むための管状部であり、その概略構成としては、シリンダ部３の底壁部３１の下面から下方に向かって延びていると共にシリンダ部３の内側に連通した接続筒部６０と、接続筒部６０に接続されたディップチューブ６１と、を備えている。
【００３１】
接続筒部６０は、上記した装着筒部３０の内側に配設されていると共にシリンダ軸Ｏを共通軸にして同軸上に配設された筒部である。この接続筒部６０のうち、上端部は他の部分よりも拡径されている。すなわち、接続筒部６０は、シリンダ部３の内部に向けて開口された大径の上筒部６２と、上筒部６２の下方に段差を介して連設された小径の下筒部６３と、を備えている。下筒部６３の上端部の内周面には、全周に亘って径方向内側に突出した円環状の弁座部６４が形成されている。また、下筒部６３は、上記した中栓１３の内側に嵌合されている。なお、接続筒部６０は、上記したシリンダ部３と一体に形成されている。
【００３２】
ディップチューブ６１は、容器本体１０の内側に配置されて容器本体１０内の内容物を吸い上げるためのチューブであり、例えば可撓性を有するフレキシブルチューブからなる。なお、ディップチューブ６１は、単なる円筒状のパイプであってもよい。ディップチューブ６１の下端開口は、容器本体１０内に開放されており、ディップチューブ６１の上端開口は、上記した接続筒部６０の内側に嵌合されて上記した上筒部６２を介してシリンダ部３の内部に連通されている。
【００３３】
（吸込み弁）
吸込み弁７は、吸込み部６の上筒部６２内に嵌合された周壁部７０と、周壁部７０の内側に配設されて弁座部６４の内側を開閉する板状の弁体部７１と、弁体部７１の外周面と周壁部７０の内周面とを連結する弾性変形可能な連結片７２と、を備えている。
【００３４】
周壁部７０は、吸込み部６の上筒部６２内にアンダーカット嵌合されている。弁体部７１は、弁座部６４の上面に密に当接している。連結片７２は、例えば周方向に間欠的に複数配設され、弁体部７１の外周面と周壁部７０の内周面とを繋いでいる。
なお、吸込み弁７は、１つの連結片７２で弁体部７１を支持した一点弁でもよい。さらに、本実施形態では、弁座部６４に着座する弁体部７１を利用することで吸込み部６の内側を開閉する吸込み弁７を例に挙げたが、この場合に限定されるものではなく、例えばボール弁を吸込み弁として採用しても構わない。
【００３５】
（ノズル部）
ノズル部８は、シリンダ部３内の液室３２に貯留された内容物を外部に吐出させるための筒状部であり、その概略構成としては、シリンダ部３の底壁部３１の下面から側方（シリンダ軸Ｏに交差する方向）に向かって突出していると共にシリンダ部３の内側に連通したノズル本体８０と、ノズル本体８０に脱着可能に接続された補助ノズル８１と、を備えている。
【００３６】
ノズル本体８０は、略円筒形状の筒部であり、先端側に向かって下向きに傾斜している。なお、図１にＬで示す鎖線は、このノズル本体８０の中心軸線を示しており、以下、単に「ノズル軸Ｌ」と記す。また、ノズル軸Ｌに沿った方向を「ノズル軸方向」といい、ノズル軸Ｌ方向から見てノズル軸Ｌに直交する方向を「ノズル径方向」といい、ノズル軸Ｌ回りの方向を「ノズル周方向」という。さらに、ノズル軸Ｌに沿った方向のうち、シリンダ部３側を後側といい、その反対側を先端側という。
【００３７】
ノズル本体８０は、シリンダ部３と一体化されると共に装着筒部３０の外周面から突出する略円筒形状の根元筒部８２と、根元筒部８２の先端に嵌合された先端筒部８３と、を備えている。根元筒部８２の基端部は、端壁部８２ａによって閉塞されており、また、根元筒部８２の基端部の上部は、シリンダ部３の内部に向けて開口されている。また、根元筒部８２の内側には、ノズル軸Ｌに対して垂直に配設された隔壁部８２ｂが配設されている。この隔壁部８２ｂには、ノズル軸方向に貫通する挿通孔８２ｃが形成されている。この挿通孔８２ｃは、ノズル軸Ｌを中心軸線にして隔壁部８２ｂの中央部分に形成されている。また、隔壁部８２ｂには、ノズル軸方向に貫通する複数の流通孔８２ｄが形成されている。この流通孔８２ｄは、内容物が流通する流路であり、挿通孔８２ｃの周囲に間欠的に形成されている。
【００３８】
根元筒部８２の基端部の外周面には、先端筒部８３の後述する外装筒部８３ａの後端開口縁と対向された対向部８２ｅが突設されている。この対向部８２ｅは、ノズル周方向に連続して環状に形成されている。また、根元筒部８２の外周面のうち、対向部８２ｅよりも先端側には、先端筒部８３の外装筒部８３ａがアンダーカット嵌合された嵌合突起８２ｆが設けられている。この嵌合突起８２ｆは、ノズル周方向に連続して環状に形成されている。また、根元筒部８２の外周面のうち、嵌合突起８２ｆよりも先端側に位置する部分には、先端筒部８３の外装筒部８３ａの内周面に形成された後述の溝部８３ｃに挿入されることで先端筒部８３の根元筒部８２に対する回転を防止する周止めリブ８２ｇが設けられている。この周止めリブ８２ｇは、各々がノズル軸方向に沿って直線状に形成され、ノズル周方向に離散的に等間で複数形成されている。
【００３９】
先端筒部８３は、根元筒部８２に外装された略円筒形状の外装筒部８３ａと、外装筒部８３ａの先端縁に接続されると共に外装筒部８３ａよりも小径の略円筒形状の被外装筒部８３ｂとを備えている。外装筒部８３ａは、根元筒部８２に外装され、後端部が根元筒部８２の嵌合突起８２ｆにアンダーカット嵌合されている。このように外装筒部８３ａは、根元筒部８２に強固に嵌合されている。このため、補助ノズル８１を先端筒部８３から脱離させる際に、先端筒部８３が根元筒部８２から脱離することが防止される。また、外装筒部８３ａの内周面には、根元筒部８２の周止めリブ８２ｇが挿入された溝部８３ｃがノズル周方向に離散的に等間隔で複数形成されている。これらの溝部８３ｃの各々は、ノズル軸方向に沿って直線状に形成されている。
【００４０】
被外装筒部８３ｂは、補助ノズル８１が外装された略円筒形状の部位である。被外装筒部８３ｂの後端部には、外周面から突出する環状突起８３ｄが設けられている。この環状突起８３ｄは、補助ノズル８１の後述する係止突起８１ｅが後側から係止された部位であり、ノズル周方向に延びるように環状に形状されている。また、図４に示すように、環状突起８３ｄは、ノズル軸方向から見て円環形状とされており、上部に、後述する係合突部８３ｇと対向する弦部８３ｅを有している。この弦部８３ｅは、上方を向く平坦面を有しており、ノズル軸方向に環状突起８３ｄを貫通するように形成されている。この弦部８３ｅのノズル周方向の幅が、補助ノズル８１の後述する脱着突部８１ｈのノズル周方向の幅よりも広く設定されていることが好ましい。このような弦部８３ｅは、補助ノズル８１をノズル本体８０から取り外す際に、脱着突部８１ｈを下方から支え、後述する操作片８１ｇが捻じれることを防止する。さらに、弦部８３ｅは、ノズル軸Ｌと直交する断面において、被外装筒部８３ｂの外周面の接線となっている。これによって、被外装筒部８３ｂの頂部と環状突起８３ｄとの接続部に段差部が形成されず、脱着突部８１ｈが環状突起８３ｄに引っ掛ることがない。
【００４１】
また、被外装筒部８３ｂの外周面のうち、環状突起８３ｄよりも先端側に位置する部分は、補助ノズル８１の後述する案内溝部８１ｆに挿入されることで補助ノズル８１のノズル本体８０に対する回転を防止すると共に脱着時に補助ノズル８１を案内する案内リブ８３ｆが設けられている。この案内リブ８３ｆは、各々がノズル軸方向に直線状に形成され、ノズル周方向に離散的に等間で複数形成されている。
【００４２】
また、先端筒部８３は、外装筒部８３ａにおける先端部の外周面のうち、上方を向く部分から上方に突出する係合突部８３ｇを備えている。係合突部８３ｇは、補助ノズル８１の後述する脱着突部８１ｈの傾斜面８１ｉが摺動される摺動面８３ｈを有している。係合突部８３ｇの根元は外装筒部８３ａの外周面に接続されている。摺動面８３ｈは、係合突部８３ｇの表面のうち、先端側を向く先端面に形成され、根元から上方に向かうに連れて後側に向かうように傾斜されている。また、このような係合突部８３ｇは、補助ノズル８１の脱着突部８１ｈと、ノズル周方向における幅が略同一に設定されている。また、係合突部８３ｇと補助ノズル８１が備える後述の本体筒部８１ｂの後端開口縁との間には、上方から脱着突部８１ｈが侵入する隙間が形成されている。
【００４３】
補助ノズル８１は、内容物を吐出するための筒部材であり、内容物を吐出する吐出口８１ａを有している。この補助ノズル８１は、ノズル本体８０の被外装筒部８３ｂに外装された略筒状形状の本体筒部８１ｂと、本体筒部８１ｂの先端からノズル軸Ｌに沿って突出する略筒状形状の延出筒部８１ｃと、延出筒部８１ｃの先端から下方に突出すると共に先端開口が吐出口８１ａとされた屈曲筒部８１ｄとを備えている。
【００４４】
本体筒部８１ｂは、後端の内周面に突設された係止突起８１ｅを備えている。係止突起８１ｅは、図３に示すように、本体筒部８１ｂの内面のうち、上部と下部を回避した部分に設けられている。より具体的には、係止突起８１ｅは、本体筒部８１ｂの上方に配置された後述する操作片８１ｇとノズル軸Ｌを挟んで反対側の領域である図３に示す下部領域Ｒ１と、下部領域Ｒ１とノズル径方向で対向する上部領域Ｒ２とを回避して、ノズル周方向に形成されている。また、下部領域Ｒ１及び上部領域Ｒ２は、ノズル軸方向から見た平面視において、ノズル軸Ｌを通り上下方向に延びる基準線を基準として対称に形成されている。また、上部領域Ｒ２のノズル周方向の幅よりも下部領域Ｒ１のノズル周方向の幅が大きく設定されている。このような係止突起８１ｅは、ノズル本体８０の被外装筒部８３ｂに備えられた環状突起８３ｄに、環状突起８３ｄの後側からアンダーカット嵌合されている。
【００４５】
また、本体筒部８１ｂの内周面のうち、係止突起８１ｅよりも先端側に位置する部分には、ノズル本体８０の被外装筒部８３ｂが備える案内リブ８３ｆが挿入された案内溝部８１ｆがノズル周方向に離散的に等間隔で複数形成されている。これらの案内溝部８１ｆは、各々がノズル軸方向に直線状に形成されている。
【００４６】
このような本体筒部８１ｂの先端部は、ノズル軸Ｌに沿って先端部側に向かうに連れて縮径されており、延出筒部８１ｃが接続されている。延出筒部８１ｃは、本体筒部８１ｂよりも小径とされると共に、ノズル軸Ｌを共通軸として同軸配置されている。屈曲筒部８１ｄは、延出筒部８１ｃと略同一径とされており、吐出口８１ａが略下方を向くように延出筒部８１ｃに対して屈曲して接続されている。
【００４７】
さらに、補助ノズル８１は、図２等に示すように、本体筒部８１ｂの上方に設けられる操作片８１ｇと、操作片８１ｇの下面に設けられる脱着突部８１ｈとを備えている。操作片８１ｇは、補助ノズル８１をノズル本体８０から脱離する際に操作する部位であり、本体筒部８１ｂの外周面から後側に向けて上方に突出された弾性変形可能な板状とされている。この操作片８１ｇは、上方に向かうに連れてシリンダ部３に近づき、後端がノズル本体８０の先端筒部８３が備える係合突部８３ｇの直上に至るまで本体筒部８１ｂの外周面から突出している。このような操作片８１ｇは、上方から押圧することによって本体筒部８１ｂの外周面上の先端部を中心として後端を下降させるように弾性変形可能とされている。また、上方からの押圧力を解除することにより、復元力により後端側を上昇させるように変形する。
【００４８】
脱着突部８１ｈは、操作片８１ｇの下面から下方に突出されており、後側に向かうに連れて上方に向かう傾斜面８１ｉを有している。この脱着突部８１ｈは、操作片８１ｇの下面のうち、操作片８１ｇが押下されたときに、傾斜面８１ｉが係合突部８３ｇの摺動面８３ｈに当接する位置に配置されている。
【００４９】
（吐出弁）
吐出弁９は、ノズル部８内からシリンダ部３内の液室３２への内容物及び空気の流入を止める逆止弁であり、ピストン部４の押込み動作（下方移動）に連動して開けられる。
詳しく説明すると、吐出弁９は、挿通孔８２ｃの内側に挿通された挿通部９０と、挿通部９０の両端部に設けられた一対の係止部（第一係止部９１及び第二係止部９２）と、ノズル部８のノズル本体８０の内周面に全周に亘って密に当接する弁体部９３と、が備えられている。
【００５０】
挿通部９０は、ノズル軸方向に延在する円柱形状の柱状部であり、ノズル軸Ｌを共通軸に挿通孔８２ｃと同軸上に延設されている。一対の係止部（第一係止部９１及び第二係止部９２）は、挿通部９０に対して拡径された拡径部であり、隔壁部８２ｂの両側にそれぞれ配置されており、隔壁部８２ｂに対してそれぞれ係止されている。一対の係止部（第一係止部９１及び第二係止部９２）のうち、隔壁部８２ｂのノズル基端側に配設された一方の係止部（第一係止部９１）は、ノズル基端側に向かうに従い漸次縮径された略円錐台形状に形成されており、この第一係止部９１を上述したテーパー状の挿通孔８２ｃのノズル先端側端部から挿通孔８２ｃ内に挿入させることで、吐出弁９が挿通孔８２ｃに挿装されている。また、隔壁部８２ｂのノズル先端側に配設された他方の係止部（第二係止部９２）は、円柱形状に形成されている。弁体部９３は、ノズル先端側に向かって漸次拡径されて弾性的に縮径変形可能なテーパー状の筒部であり、第二係止部９２のノズル先端側の端部外縁からノズル先端側に向かって突設されている。この弁体部９３の先端部（最大径部）は、ノズル本体８０の内周面に密に当接している。
【００５１】
＜定量吐出器の作用＞
上記した定量吐出器１を用いて内容物を吐出する際には、液室３２に内容物が貯留された状態で、押下ヘッド５１の天壁部５１ａの上面を押圧し、コイルスプリング５２の付勢力に抵抗しながら押下ヘッド５１を押し下げる。これにより、コイルスプリング５２が軸方向に圧縮されると共に、連結部材５３を介して押下ヘッド５１に連結されたピストン部４が、押下ヘッド５１と共にシリンダ部３に対して相対的に下降してシリンダ部３の底壁部３１側に押し込まれ、液室３２が減容される。そして、液室３２の減容化によって液室３２の内圧が所定の正圧まで上昇することで、その内圧によって弁体部９３が弾性的に縮径変形し、弁体部９３の先端部とノズル本体８０の内周面との間に隙間が形成されて吐出弁９が開かれる。これにより、液室３２内の内容物がノズル本体８０の基端部の内側に流入した後、隔壁部８２ｂの流通孔８２ｄ及び上記した隙間を通ってノズル本体８０内をノズル先端側に向かって流通し、さらに、ノズル本体８０内から補助ノズル８１内に流入して補助ノズル８１内を通って補助ノズル８１の吐出口８１ａから外部に吐出される。
【００５２】
そして、上記した押下ヘッド５１の押し下げ操作を止めてピストン部４の押込み動作（下降）を停止させると、弁体部９３が弾性により復元変形して拡径される。これにより、弁体部９３の先端部がノズル本体８０の内周面に全周に亘って再び密に当接して吐出弁９が閉じられ、その結果、ノズル部８からの内容物の吐出が停止される。
【００５３】
次に、押下ヘッド５１への押圧力を解除すると、コイルスプリング５２の付勢力によって押下ヘッド５１が押し上げられ、連結部材５３を介して押下ヘッド５１に連結されたピストン部４が、押下ヘッド５１と共にシリンダ部３に対して相対的に上昇してシリンダ部３の上端側に引き戻され、液室３２の容積が増大される。その結果、液室３２の内圧が負圧となり、その内圧によってピストン部４の底壁部４０が引っ張られる。
【００５４】
また、上述したように液室３２の内圧が負圧となると、その内圧によって吸込み弁７の弁体部７１が引っ張られ、吸込み弁７の連結片７２を弾性変形させながら弁体部７１が引き上げられ、弁体部７１が弁座部６４から離間して吸込み弁７が開かれる。これにより、容器本体１０内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸い込まれる。
【００５５】
そして、連結部材５３のフランジ部５３ｂの上面が中蓋５０の底壁部５０ｄの下面のストッパ５０ｆに当接することで、押下ヘッド５１の上昇が停止してピストン部４の引戻し動作が停止する。これにより、吸込み弁７の連結片７２の弾性によって弁体部７１が引き下げられ、弁体部７１が弁座部６４に着座して密に当接して吸込み弁７が閉じられ、その結果、液室３２内への内容物の吸い込みが停止される。
【００５６】
続いて、補助ノズル８１をノズル本体８０から脱離する動作について図５を参照して説明する。
図５に示すように、補助ノズル８１の操作片８１ｇを上方から押下すると、操作片８１ｇの下面に設けられた脱着突部８１ｈが係合突部８３ｇと補助ノズル８１が備える本体筒部８１ｂの後端開口縁との間の隙間に進入する。これによって、操作片８１ｇの下面に設けられた脱着突部８１ｈの傾斜面８１ｉが、ノズル本体８０が備える係合突部８３ｇの摺動面８３ｈに当接する。さらに操作片８１ｇを押下すると、傾斜面８１ｉが摺動面８３ｈに摺接される。このとき、操作片８１ｇに設けられた脱着突部８１ｈは、傾斜面８１ｉ及び摺動面８３ｈに沿って、補助ノズル８１を先端方向へ向けて、係合突部８３ｇから反力を受ける。これによって、補助ノズル８１は、先端側へ移動され、ノズル本体８０から脱離される。また、係合突部８３ｇと補助ノズル８１が備える本体筒部８１ｂの後端開口縁との間の隙間に進入した脱着突部８１ｈは、表面のうち、先端側を向く先端面が本体筒部８１ｂの後端開口縁に当接し、後側から本体筒部８１ｂの後端開口縁を押圧する。これによっても、補助ノズル８１は、先端側へ移動される。
【００５７】
このような本実施形態の定量吐出器１によれば、脱着突部８１ｈの傾斜面８１ｉは、シリンダ部３側に向かうに連れて上方に向かうように設けられている。このため、操作片８１ｇの押下量が増加するに連れて、補助ノズル８１がノズル本体８０に対して前方に移動され、補助ノズル８１がノズル本体８０から容易に脱離される。
【００５８】
さらに、本実施形態の定量吐出器１においては、補助ノズル８１が、ノズル本体８０に外装された本体筒部８１ｂと、本体筒部８１ｂの内周面のうち、本体筒部８１ｂのノズル軸Ｌを挟んで操作片と反対の領域（図３に示す下部領域Ｒ１）を回避した部分に突設された係止突起８１ｅと、を備えている。また、ノズル本体８０は、補助ノズル８１の本体筒部８１ｂが外装された被外装筒部８３ｂと、被外装筒部８３ｂの外周面に突設されていると共に、補助ノズル８１の係止突起８１ｅが係止された環状突起８３ｄとを備えている。このため、補助ノズル８１がノズル本体８０に装着されている状態では、係止突起８１ｅと環状突起８３ｄとが互いに係止され、補助ノズル８１がノズル本体８０から脱離することが防止される。このような補助ノズル８１をノズル本体８０から脱離する場合には、作業者が片方の手で、本体筒部８１ｂの下部と操作片８１ｇとを挟むように補助ノズル８１をつまむことが想定される。このとき、本実施形態の定量吐出器１によれば、係止突起８１ｅが、本体筒部８１ｂの内周面のうち、本体筒部８１ｂのノズル軸Ｌを挟んで操作片８１ｇと反対の領域を回避した部分に突設されている。このため、本体筒部８１ｂの下部を下方から支持するように補助ノズル８１をつまんでも、係止突起８１ｅと環状突起８３ｄとが強く係止されることが防止される。したがって、本実施形態の定量吐出器１によれば、補助ノズル８１をノズル本体８０から容易に脱離することができる。
【００５９】
また、本実施形態の定量吐出器１では、環状突起８３ｄには、係合突部８３ｇと対向する領域に、上方に向く平坦面を有する弦部８３ｅが設けられている。これにより、操作片８１ｇを押下したままで補助ノズル８１をノズル本体８０から引き抜く場合に、操作片８１ｇの下面に設けられた脱着突部８１ｈが環状突起８３ｄに引っ掛ることを防止することができ、補助ノズル８１をノズル本体８０からより容易に脱離することができる。また、操作片８１ｇを押下したままで補助ノズル８１をノズル本体８０から引き抜く場合に、弦部８３ｅの平坦面により脱着突部８１ｈが下方から支えられ、脱着突部８１ｈがノズル周方向に捩れることを防止することができる。このため、操作片８１ｇの根元への負荷を低減させることができる。
【００６０】
また、本実施形態の定量吐出器１では、係合突部８３ｇが、根元から上方に向かうに連れてシリンダ部３側に向けて延びると共に、脱着突部８１ｈの傾斜面８１ｉが摺動する摺動面８３ｈを有している。これにより、操作片８１ｇを押下する際に、脱着突部８１ｈがより円滑にノズル本体８０に対して前方に押し出される。このため、補助ノズル８１を円滑にノズル本体８０から脱離することができる。
【００６１】
以上、本発明に係る定量吐出器の実施の形態について説明したが、本発明は上述の実施の形態に限定されるものではなく、その趣旨を逸脱しない範囲で適宜変更可能である。
【符号の説明】
【００６２】
１  定量吐出器
３  シリンダ部
８  ノズル部
８０  ノズル本体
８１  補助ノズル
８１ａ  吐出口
８１ｂ  本体筒部
８１ｅ  係止突起
８１ｇ  操作片
８１ｈ  脱着突部
８１ｉ  傾斜面
８３ｂ  被外装筒部
８３ｄ  環状突起
８３ｅ  弦部
８３ｇ  係合突部
８３ｈ  摺動面
Ｌ  ノズル軸
Ｒ１  下部領域（本体筒部の内周面のうち、本体筒部のノズル軸を挟んで操作片と反対の領域）
【図１】
0006655466.tif 000002
【図２】
0006655466.tif 000003
【図３】
0006655466.tif 000004
【図４】
0006655466.tif 000005
【図５】
0006655466.tif 000006